(57)【要約】本発明は、少なくとも第１及び第２相互作用領域を有する単一の相互作用手段を備えるタッチ感応パネルに関する。上記相互作用手段は、上記第１相互作用領域において透明であり、第１及び／又は第２相互作用領域の機械的励起、特に圧力による励起を、それぞれの信号に変換するための変換手段を少なくとも１つ備え、上記信号に基づいて、上記励起の位置を特定するよう設定された処理手段を備える。本発明はさらに、このようなタッチ感応パネルを備えるデバイスに関する。また本発明はさらに、改良されたドラッグとドロップ方法に関する。
2011510413.tif 000002
【特許請求の範囲】
【請求項１】
少なくとも第１及び第２相互作用領域（５、７）を有し、上記第１相互作用領域（５）において透明である単一の相互作用手段（３）と、
少なくとも上記相互作用手段（３）の第１及び／又は第２相互作用領域（５、７）の機械的励起、特に圧力による励起をそれぞれの信号に変換するための少なくとも１つの変換手段（９、１１）と、
上記信号に基づいて、上記励起の位置を特定するよう設定された処理手段（１３）とを備えるタッチ感応パネル。
【請求項２】
請求項１に記載のタッチ感応パネルにおいて、
上記第２相互作用領域（７）は、複数の補助ボタン領域（１５a、１５e、１７、１８a−１９e）を備え、
上記処理手段（１３）は、上記複数の補助ボタン領域（１５a、１５e、１７、１８a−１９e）の少なくとも１つの励起で、既定の動作を始動するよう設定されているタッチ感応パネル。
【請求項３】
請求項１又は２に記載のタッチ感応パネルにおいて、
上記第２相互作用領域（７）は不透明体であるタッチ感応パネル。
【請求項４】
請求項１から３のいずれか１つに記載のタッチ感応パネルにおいて、
上記少なくとも１つの変換手段（９、１１）及び／又は上記処理手段（１３）は、上記第２相互作用領域（７）に配置されているタッチ感応パネル。
【請求項５】
請求項１から４のいずれか１つに記載のタッチ感応パネルにおいて、
上記変換手段（９、１１）及び／又は上記処理手段（１３）は、上記相互作用手段（３）、望ましくは上記第２相互作用領域（７）に内蔵されているタッチ感応パネル。
【請求項６】
請求項１から５のいずれか１つに記載のタッチ感応パネルにおいて、
上記第１相互作用領域（５）は上記相互作用手段（３）の主要面に設置され、上記第２相互作用領域（７）は上記相互作用手段（３）の少なくとも一側面に少なくとも設置されているタッチ感応パネル。
【請求項７】
請求項１から６のいずれか１つに記載のタッチ感応パネルにおいて、
上記相互作用手段（３）と、上記少なくとも１つの変換手段（９、１１）と、上記処理手段（１３）とがモジュールを形成するタッチ感応パネル。
【請求項８】
請求項１から７のいずれか１つに記載のタッチ感応パネルにおいて、
上記相互作用手段は、少なくとも１つの付加的な透明な第３相互作用領域をさらに備えるタッチ感応パネル。
【請求項９】
請求項１から８のいずれか１つに記載のタッチ感応パネルにおいて、
上記第２相互作用領域上に、書き込み可能な領域をさらに備えるタッチ感応パネル。
【請求項１０】
ディスプレイパネル（３７）を有するスクリーン（３５）と請求項１から９のいずれか１つに記載のタッチ感応パネルとを備える、特に、ラップトップコンピューター、オンボードコンピューター、携帯電話、携帯情報端末（PDA)、テレビ、ハイファイデバイス、自動販売機又は現金自動預け入れ支払機、コンソール演奏デバイス又はマシンインプットデバイス等の、タッチ感応デバイス。
【請求項１１】
請求項１０記載のデバイスにおいて、
上記タッチ感応パネルは、
上記第１相互作用領域（５）が上記スクリーン（３５）の上記ディスプレイパネル（３７）上にあることにより、タッチ感応ディスプレイを形成するように、かつ、
上記第２相互作用領域（７）が、上記ディスプレイパネル（３７）から離れて設置されるように、配置されているデバイス。
【請求項１２】
請求項１０又は１１に記載のデバイスにおいて、
上記第２相互作用領域（７）の既定領域における励起が上記処理手段（１３）によって始動したとき既定の動作を実行するよう設定されており、
上記動作は、特に、上記スクリーン（３５）上に表示される情報にリンクされ（ソフトキーアクション）、及び／又はハードウエアの機能にリンクされるデバイス。
【請求項１３】
請求項１０から１２のいずれか１つに記載のデバイスにおいて、
上記第１相互作用領域（５）での始動した励起に基づいて、上記スクリーン（３５）からある動作をドラッグすると共に、
上記第２相互作用手段において始動した後の励起に基づいて、上記動作を上記第２相互作用領域（７）の補助ボタン領域にドロップするように設定されているデバイス。
【請求項１４】
請求項１０から１３のいずれか１つに記載のデバイスにおいて、
上記第２相互作用領域（７）が、上記ディスプレイパネル（３７）のフレーム（５５）の領域だけに広がっているデバイス。
【請求項１５】
請求項１０から１４のいずれか１つに記載のデバイスにおいて、
上記相互作用手段が、少なくとも一の側面の、側面に沿って延びているデバイス。
【請求項１６】
請求項１０から１５のいずれか１つに記載のデバイスにおいて、
上記相互作用手段（３）の側面の少なくとも１つにおいて特定された励起に基づいて、上記スクリーンにおいてスクロールバー機能を実行するよう設定されているデバイス。
【請求項１７】
請求項１０から１６のいずれか１つに記載のデバイスにおいて、
外部デバイスに接続できるように設定され、上記第２相互作用領域の内部あるいは近くに設置される、少なくとも１つのインターフェースを備え、
上記第２相互作用領域は、上記インターフェースに割り当てられた既定の領域を有し、
上記処理手段（１３）は、上記インターフェースに割り当てられた既定の領域における励起の始動により、上記タッチ感応デバイスと上記外部デバイス間の既定のインターフェースタスクを始動するよう設定されているデバイス。
【請求項１８】
請求項１７のデバイスにおいて、
上記インターフェースに割り当てられた既定の領域が、上記インターフェースのエッジ領域に近接する、特に接触するデバイス。
【請求項１９】
請求項１８のデバイスにおいて、
上記インターフェースに割り当てられた既定の領域が、上記インターフェースを取り囲んでいるデバイス。
【請求項２０】
請求項１７から１９のいずれか１つに記載のデバイスにおいて、
上記インターフェースが、上記相互作用手段の主要面上にあるデバイス。
【請求項２１】
請求項１０から２０のいずれか１つに記載のデバイスにおいて、
透明な第３相互作用領域の下に設置された、補助ディスプレイパネルを有する補助スクリーンをさらに備えるデバイス。
【請求項２２】
請求項２１に記載のデバイスにおいて、
外部デバイスに接続できるように設定され、上記第２相互作用領域の内部あるいは近くに設置される、少なくとも１つのインターフェースを備え、
上記処理手段（１３）は、上記第３相互作用領域における励起の始動により、上記タッチ感応デバイスと上記外部デバイス間の既定の相互作用タスクを始動するよう設定されているデバイス。
【請求項２３】
対象をドラッグするステップが第１の位置（６３）で実行され、対象をドロップするステップが第２の位置（１５b）で実行されるドラッグとドロップの方法において、
上記第１、第２の位置の一方がグラフィカルユーザインターフェースの至る所にあり、他方がグラフィカルユーザインターフェースの外側にあることを特徴とするドラッグとドロップの方法。
【請求項２４】
請求項１から９のいずれか１つに記載のタッチ感応パネルを使用することにより請求項２３に記載の方法を実行することを特徴とするタッチ感応パネルの使用方法。
【請求項２５】
請求項１０から２２のいずれか１つに記載のデバイスを使用することにより請求項２３に記載の方法を実行することを特徴とするデバイスの使用方法。
【発明の詳細な説明】
【技術分野】
【０００１】
本発明は、タッチ感応パネルとタッチ感応パネルを備えたデバイスに関する。
【背景技術】
【０００２】
EP 1 798 635 A1 は、バーチャルキーパッド入力デバイスを備える携帯用電子デバイスを開示しており、この携帯用電子デバイスは、入力装置と処理装置が配置されたケースを有する。入力装置は、ケースに接触することよる振動効果を感知する多数の振動センサーを有する。それから、処理装置は、接触がなされたケース上の位置を決定する。このケースはハウジングと、スクリーンとカバーとを備えるディスプレイとを有する。ディスプレイカバーはケースの前壁の中に組み込まれており、ケース前面の一部がカバーとして広がる。EP 1 798 635 A1 は以下の記載を明記する。ケースに取り付けられたセンサーが、ディスプレイカバー上の接触から生じる振動信号を受け取り、処理装置が接触位置を決定して、ディスプレイがタッチ感応ディスプレイとなるようにする。
【０００３】
上述の提案された構造には、次のような問題がある。ハウジングに振動センサーを設けることにより、ディスプレイカバーで発生した振動信号が、カバーとハウジングの間の接合部分を横断しなければならない。これは信号品質の劣化を招き、そしてさらに、時間とともに、接合部分の性質が、最悪の場合、ディスプレイ上の入力を検知できなくするよう変化する。
【０００４】
したがって、本発明の目的は、上述の問題を克服し、より信頼性のあるタッチ感応パネルを提供することにある。
【発明の概要】
【０００５】
この目的は、請求項１に記載のタッチ感応パネルにより達成される。本発明によるタッチ感応パネルは、少なくとも第１及び第２相互作用領域を有し、上記第１相互作用領域において透明である単一の相互作用手段と、少なくとも上記相互作用手段の第１及び／又は第２相互作用領域の機械的励起、特に圧力による励起をそれぞれの信号に変換するための少なくとも１つの変換手段と、上記信号に基づいて、上記励起の位置を特定するよう設定された処理手段とを備える。
【０００６】
これに関連して、本発明によれば、相互作用手段は、例えば、ガラスあるいはプラスチックプレートと一体型に作られる。相互作用手段は、主要面の少なくとも１つに滑らかな表面を持つことが可能であり、その滑らかな表面を平らに又は湾曲にすることができる。変換手段は、例えば、励起の結果である音響信号を認識できる歪みゲージや圧電変換器のような変換器にすることができる。励起は、指や、手袋をはめた指や、スタイラスペンなどによりもたらされる。処理手段は、動作を誘起する信号を出力できるインターフェースを備えることができる。音響信号を感知する変換器を組み合わせて使う場合は、処理手段は、感知された音響信号に基づいた衝撃の位置を特定するよう設定される。
【０００７】
タッチ感応パネルがスクリーンと共に稼動しているとき、透明である第１相互作用領域はスクリーンをタッチ感応状態にすることが可能であり、第２相互作用領域はさらなる入力手段として使うことができる。両領域が相互作用手段に提供されているとき、変換手段により認識された信号は接合部分を通る必要はなく、結果として、接合部分の長時間にわたる安定性に左右されないので、接合部分の性質の変化による信号品質の劣化は起きない。
【０００８】
一体型である、単一の相互作用手段はさらに次の利点を有する。少なくともハウジングが部分的にカバーまで広がり、そのカバーはエッジ領域においてごみ等がためる可能性があるデバイスと比較して、簡単にきれいにできる滑らかな表面を提供できる。最後に、滑らかな表面はまた、デバイスの視覚的側面をより魅力あるものにする。
【０００９】
第２相互作用領域が補助ボタン領域を備えることができ、補助ボタン領域の少なくとも１つが励起するとき、既定動作が始動するように処理手段を設定できることが望ましい。従って、これらの補助ボタン領域は、タッチ感応パネルが接続されているデバイスへのさらなる入力を提供するために使用され得るスイッチをシミュレートする。補助ボタン領域の別の用途は、例えば、タッチ感応スクリーンに接続されたスクリーン上のカーソルを移動するためのタッチパッド又はスクロールバーとしての使用に関する。例えば、相互作用手段の前面あるいは背面上にプリントすることにより、又はプリントされた粘着性の金属の薄片を使用することにより、又は相互作用手段上に直接プリントすることにより、この補助ボタン領域を提供することができる。そうすることにより、この補助ボタン領域を提供するのに必要な追加のハードウェアスイッチはない。
【００１０】
好ましい実施形態において、第２相互作用領域は不透明にすることができる。パネルが第１相互作用領域の下のディスプレイパネルと共に使用される場合、不透明な第２相互作用領域はスクリーンのディスプレイパネルのフレームを隠すことができ、さらに、普段使わないディスプレイのフレーム領域を、よく使う領域、すなわち、追加入力手段に変えることができる。
【００１１】
少なくとも１つの変換手段及び／又は処理手段を、第２相互作用領域に設置できることが有利な点である。そうすることにより、変換手段及び／又は処理手段は透明な第１相互作用領域を遮らず、望ましくは、不透明な第２相互作用領域の後ろに隠すことができる。その結果、デバイスの横方向の伸張も小さく保たれる。
【００１２】
さらに本発明の有利な変形例によれば、変換手段及び／又は処理手段を相互作用手段、望ましくは第２相互作用領域の辺りに組み込める。そうすることにより、タッチ感応パネルのボリュームが相互作用手段の１つと基本的に一致し、不必要に無駄なスペースがない。
【００１３】
第１相互作用領域を相互作用手段の主要面に設置でき、第２相互作用領域を相互作用手段の少なくとも１つの側面に設置できることが有利な点である。そうすることにより、相互作用手段の主要面が入力するのに便利になるだけでなく、追加入力領域を側面に提供することができる。その結果、入力可能性に関する柔軟性が増強される。
【００１４】
有利な実施形態によれば、単一の相互作用手段と、少なくとも１つの変換手段及び処理手段はモジュールを形成できる。このモジュールによって、どのようなデバイスも大変な一体化の取り組み無しにタッチ感応デバイスへ変えることができる。タッチ感応デバイスへ変えるためには、デバイスへこのモジュールを取り付け、目的を達成するために対応するデバイスの１つに処理手段のインターフェースを接続するだけで十分である。
【００１５】
タッチ感応パネルの単一の相互作用手段は、さらに少なくとも１つの付加的な第３相互作用領域を備えることができるのが望ましい。付加的な透明な相互作用領域を提供することで、通常は第１透明相互作用領域と分かれているが、同じ触知性の相互作用手段の下に追加のスクリーンを設置できる。スクリーンは外部デバイス、例えば、外部記憶デバイス、マルチメディアプレーヤーやプリンター等のコンテンツ及び／又は数値を表示するために使用され得る。
【００１６】
タッチ感応パネルの単一の相互作用手段は、第２相互作用領域上に、特に隣接した第３相互作用領域及び／又は補助ボタン領域に書き込み可能領域をさらに備えることができるのが有利な点である。書き込み可能領域は、紙、ボール紙あるいはプラスチックからなる取り外し可能なタグであり、また相互作用手段がガラス製ならば、表面をサンドブラストにすることもできる。さらに別の変形例によれば、シルクスクリーンを書き込み可能領域として提供するために使用できる。書き込み可能領域は、例えばペンの使用のように、第３相互作用領域及び／又は補助ボタン領域の割り当てに関する情報を提供するのに簡単かつ安価な方法である。
【００１７】
本発明の目的はまた、上述のようなディスプレイパネルやタッチ感応パネルを持つスクリーンを備えるデバイス、特に、ラップトップコンピューター、オンボードコンピューター、携帯電話、携帯情報端末（PDA)、テレビ、ハイファイデバイス、自動販売機又は現金自動預け入れ支払機、コンソール演奏デバイス又はマシンインプットデバイスにより達成される。すでに上述したように、タッチ感応パネルは、スクリーンのディスプレイパネル領域をゆくゆくは信頼性のあるタッチ感応デバイスにできるという利点をもたらす。加えて、ガラスやプラスチックプレートのような単一の相互作用手段によって、尖った先端のない滑らかな表面はデバイスを簡単にきれいにでき、さらに視覚的に美しいものにする。
【００１８】
タッチ感応パネルは、次のように配置できるのが望ましい。第１相互作用領域がスクリーンのディスプレイパネル上にあり、その結果タッチ感応ディスプレイを形成し、さらに第２相互作用領域がディスプレイパネルから離れて設置される。従って、スクリーンのディスプレイパネル領域の外側では、第２相互作用領域を追加入力機能として使うことができる。
【００１９】
好ましい実施形態において、上記デバイスは、上記処理手段によって上記第２相互作用領域の既定領域における励起が始動したとき、既定の動作を実行するよう設定されており、上記動作は、特に、上記スクリーン上に表示される情報にリンクされ（ソフトキーアクション）、及び／又はハードウェアの機能にリンクされる。従って、例えば、デバイスのオン・オフや、光度やスピーカーの音量を変えるような異なるハードウェア構造間で切り替えるために第２相互作用領域を使うことができる。また、スクリーンに表示される情報、例えば、スクリーンのプリント、あるいは他のソフトキーアクションの種類、一般的な又はデバイスに記憶された情報についての動作を始動するために使うこともできる。この機構の１つの特別な利点は、ソフトキーをもはやスクリーンのディスプレイ領域上に提供する必要がないので、実質的にスクリーンのサイズを大きくできる。それ故に同じ機能に関して、より小さいスクリーンは、例えば、デバイス全部がより廉価と解釈され得る。
【００２０】
好ましい実施形態において、第１相互作用領域の始動した励起に基づいて、スクリーンのディスプレイパネルからの動作または対象をドラッグするように上記デバイスを設定でき、第２相互作用手段の後の始動した励起に基づいて、第２相互作用領域の補助ボタン上の動作または対象をドロップするようにデバイスを設定できる。例えば、電子テキストドキュメントのような実質的にどのような対象もコンピュータースクリーンから離れた所にドラッグして移動でき、第２相互作用領域の既定の位置にドロップできる。第２相互作用領域の既定の位置で励起を検出するとき、処理ユニットは、例えばドキュメントを印刷することや解除することをコンピューターに知らせる信号を発信できる。これは、入出力に関するデバイスの柔軟性をさらに大きくする。
【００２１】
好ましい実施形態において、第２相互作用領域がディスプレイパネルのフレーム領域だけに広がる。特に、相互作用手段はまた、ディスプレイパネルのフレームには広がらない。そうすることによって、視覚的に魅力あるデザインができるだけでなく、普段使用しないディスプレイのフレーム領域を、デバイスのサイズを大きくすることなく実用的な領域に変えることができる。
【００２２】
有利な変形例によると、単一の相互作用手段は、上記デバイス上の少なくとも１つの面に沿って広げることができる。この場合、第２相互作用領域もまたデバイス上の側面に沿って広げることができる。そうすることによって、デバイスを、例えば、相互作用手段を備えるファニチャーの一部に内蔵することができる。相互作用手段はそのファニチャーの一部の表面と同一平面上にはめ込まれ、相互作用手段の広い領域によって、結果として広い入力領域を提供できる。この広い入力領域は、例えば、入力を助ける大きなボタンを、例えば視覚障害を持つ人に提供するために使われ得る。あるいは、簡単な追加ボタンを情報の入力を助けるために提供できる。
【００２３】
有利な実施形態によると、上記デバイスを、スクリーン上のスクロールバーの機能を実行するよう設定することができる。スクロールバーの機能は、相互作用手段の少なくとも一側面で特定される励起に基づく。すでに上述した通り、相互作用手段の主要面側が実用的な領域に変えられるだけでなく、側面や背面でさえも更なる入力領域として使われ得る。スクリーン上でのナビゲーション実現性を通常有する今日の電子デバイスについて、デバイスの側面のスクロールバーを提供することは直感で理解でき、スクロール機能を主要面側に提供する必要がないので、デバイス全体を小さく保つ。
【００２４】
好ましい実施形態において、上記デバイスは、外部デバイスに接続できるように設定され、上記第２相互作用領域の内部あるいは近くに設置される、少なくとも１つのインターフェースを備え、上記第２相互作用領域は、上記インターフェースに割り当てられた既定の領域を有し、上記処理手段は、上記インターフェースに割り当てられた既定の領域における励起の始動により、このタッチ感応デバイスと上記外部デバイス間の既定の相互作用タスクを始動するよう設定されている。この形態において、デバイスは外部デバイスに直接ショートカットできる。この機能はデバイスのエルゴノミクスを増加させ、ユーザは直感的に、対応する既定領域に衝撃を与えることにより、スクリーン上に描かれたデータを外部デバイスに転送することができるであろう。
【００２５】
この実施形態において、インターフェースは、ケーブルあるいはワイヤーをベースとして外部デバイスとの接続が可能である物理的インターフェースにすることができる。あるいは、相互作用手段に提供された対応するピクトグラムを用いるためのワイヤレスインターフェースを意味するバーチャルインターフェースにすることができる。
【００２６】
インターフェースに割り当てられた既定領域は、外部デバイスへ接続できるよう設定されているインターフェースのエッジ領域の近接、特に接触状態にできることが望ましい。この実施形態において、外部デバイスへの既定領域の特定は即時である。さらに、インターフェースに指定された既定領域がインターフェースを取り囲むことが望ましい。
【００２７】
インターフェースを相互作用手段の主要面に設置できることが有利な点である。この場合、外部デバイスは、ユーザがまた内部デバイスに対して入力動作を実行する相互作用手段の側へ、ケーブルを通して接続される。インターフェースに向かって相互作用手段の表面上を単にスライドすることにより、２デバイス間のデータの移動をさらに簡単することができる。
【００２８】
有利な実施形態によると、本発明によるデバイスは、さらに、第３透明相互作用領域の下に設置された、補助ディスプレイパネルを有する補助スクリーンを備えることができる。両スクリーン上に１つの触知性の相互作用手段を提供することで、２つのスクリーン間に触知性の連続性はもたらされる。これは、例えば、一のスクリーン上に表示されるデータの移動を容易にする。
【００２９】
上記デバイスは、処理手段が、上記第３相互作用領域における励起の始動により、タッチ感応デバイスと上記外部デバイス間の既定の相互作用タスクを始動するよう設定されており、外部デバイスに接続できるように設定され上記第２相互作用領域の内部あるいは近くに設置される少なくとも１つのインターフェースを備えることができるのが望ましい。この構造における補助スクリーンは外部デバイスに起因する。そして、外部デバイスに接続するとき、補助スクリーンは、例えば、外部デバイスのコンテンツを説明するために設定される。したがって、補助ディスプレイは外部デバイス専用であり、その結果、外部デバイスと内部デバイス間のデータ移動は、単一の相互作用手段上の対象、例えば、ファイルやフォルダやショートカットを一方のスクリーンから他方のスクリーンへ簡単に移動させられる。
【００３０】
本発明はさらにドラッグとドロップの方法に関する。この状況において、ドラッグとドロップの特徴は、例えばコンピューター（コンピュータースクリーンのディスプレイパネル）のグラフィックユーザインターフェースに関して周知の方法に関する。その方法は、テキストドキュメントのアイコンのような仮想対象をクリックすることにあり、グラフィックユーザインターフェース又はグラフィックユーザインターフェースについての仮想対象、例えばプリンターアイコンやトラッシュカンアイコンを別の場所へドラッグすることである。１つあるいはそれ以上のグラフィックユーザインターフェースの存在へ繋がれた、周知のドラッグとドロップの特徴を根幹として、ドラッグとドロップの方法を改良することが本発明の目的である。
【００３１】
この目的は請求項１５に記載の方法により達成された。上記方法において、対象をドラッグする手段は、最初の位置で実行され、対象をドロップすることは、２番目の位置で実行される。最初の位置及び２番目の位置の一方は、グラフィックユーザインターフェース上にあり、他方はグラフィックユーザインターフェース外であることを特徴とする。この方法により、ドラッグとドロップの特徴は、もはやスクリーンのサイズに限定されず、ドラッグとドロップの特徴を用いるどのようなデバイスでもより柔軟に使える。
【００３２】
本発明は、さらに発明によるドラッグとドロップの方法を実行するための、上述のデバイスの使用方法に関する。また一方で、別の変形例によれば、発明のドラッグとドロップの方法はまた、１つ以上の部分から組み上げられた相互作用手段を用いることができる。さらに有利な点によれば、相互作用手段の複数の部分は、間隔を離してあけられている。
【図面の簡単な説明】
【００３３】
本発明の有利な実施形態は、添付の図に詳細が記載されている。
【図１】図１は、本発明に係るタッチ感応パネルの第１実施形態における斜視図を示す。
【図２】図２は、本発明に係るタッチ感応パネルの第２実施形態における断面図を示す。
【図３ａ】図３ａは、本発明に係るタッチ感応パネルの第３及び第４実施形態を含むデバイスの断面図を示す。
【図３ｂ】図３ｂは、本発明に係るタッチ感応パネルの第３及び第４実施形態を含むデバイスの断面図を示す。
【図４ａ】図４ａは、本発明に係るタッチ感応パネルモジュールを備えるラップトップコンピューターの斜視図を示す。
【図４ｂ】図４ｂは、本発明に係るタッチ感応パネルを備えるスクリーンの斜視図を示す。
【図５】図５は、本発明に係るタッチ感応パネルの発明による一のアプリケーションの斜視図を示す。
【図６】図６は、本発明に係るタッチ感応パネルの発明による第２のアプリケーションの斜視図を示す。
【図７】図７は、本発明に係るタッチ感応パネルの第５実施形態における斜視図を示す。
【図８】図８は、本発明に係るタッチ感応パネルの第６実施形態における斜視図を示す。
【図９】図９は、本発明に係るどの実施例の１つにも適応できる変形例の平面図を示す。
【発明を実施するための形態】
【００３４】
図１は、本発明の第１実施形態に係るタッチ感応パネルを示す。第１実施形態は、第１相互作用領域５及び第２相互作用領域７を有する相互作用手段３を備える。第１相互作用領域５において、相互作用手段３は透明である。第２相互作用領域７は可視光に対し不透明であるが、他の変形例によると、発明の範囲から離れることなく同様に透明あるいは部分的透明にすることもできる。この実施形態において、相互作用手段３はガラスプレートであるが、相互作用手段３をプラスチックあるいは他の適当な物質から同様に作ることができる。この実施形態において、相互作用手段３は平らなプレートであるが、湾曲形状としてもよい。
【００３５】
タッチ感応パネル１は、さらに２つの変換手段９、１１を備える。変換手段９、１１は、第１相互作用領域５で“ｘ”によって、第２相互作用領域７で“ｙ”によって表示される相互作用手段３の正面側の機械的な、特に圧力による励起を、それぞれの信号に変換する。この実施形態において、変換手段９、１１は、例えば歪みゲージや圧電変換器のような変換器であり、この変換器は“ｘ”又は“ｙ”の位置での励起による結果である音響信号を感知する能力がある。この実施形態において、２つの変換手段９、１１が説明されているが、タッチ感応パネルに２以上の、あるいは１つだけの変換手段を提供する可能性もある。
【００３６】
２つの変換手段９、１１は処理手段１３と接続されており、処理手段１３は、電気的信号に基づいて、“ｘ”又は“ｙ”の励起の位置座標をそれぞれ特定する。処理手段１３は、インターフェース接続部１４を通じて別のデバイス（示さず）へ励起の座標を送信できる。この実施形態において、処理手段は必須ではないが、相互作用手段３に取り付けられる。
【００３７】
変換手段９、１１は、例えば、相互作用手段３の背面にプリントされたワイヤー（示さず）を通して処理手段に接続される。
【００３８】
すでに述べたように、第２相互作用領域７は可視光に対し不透明である。これは相互作用手段３の背面に不透明なフィルムを提供することで実現される。このような不透明フィルムを、相互作用手段３の上に粘着性のものを使用して取り付けるか、あるいは直接プリントしてもよい。
【００３９】
さらに、この実施形態において、変換手段９、１１及び処理手段１３は、第２相互作用領域７の相互作用手段３の背面に取り付けられる。その結果、これらはタッチ感応パネル１の正面からのユーザの視点に対して見えない。
【００４０】
第２相互作用領域７において、補助ボタン領域１５ａ−１５ｄは、相互作用手段３の正面に備えられ、追加補助ボタン領域１７、１９ａ−１９ｅは、相互作用手段３の２つの側面に備えられる。もちろんこれら補助ボタン領域はまた、相互作用手段の図１の立体図上では見ることができない他の面にも備えることができる。さらなる変形例によれば、補助ボタン領域は、側面だけあるいは正面だけに備えてもよい。さらに別の変形例によれば、補助ボタンはまた、必要ならば、上記変換手段９、１１が配置される背面にも備えることができる。
【００４１】
補助ボタン領域をユーザに目で見て明らかな状態にできる。これは、正面へフィルムを取り付けることにより、正面にプリントすることにより、または背面の不透明フィルムに組み入れることにより成される。補助ボタン領域は、円形、正方形、長方形、星形等の任意の形状にできる。
【００４２】
さらに、処理手段１３は以下のように構成される。補助ボタン領域１５ａ−１５ｄ、１７、１９ａ−１９ｅが励起し、その後に励起の位置を特定するとき、処理手段はインターフェース１４で信号を発することができる。この発せられた信号に伴い、タッチ感応パネル１がさらなるデバイスに接続する時に動作を伝えることもできるように、処理手段は信号を発する。
【００４３】
本発明によれば、透明な第１相互作用領域５と第２相互作用領域７を有する相互作用手段３は、一体型に作られる。これは次の点で有利である。変換手段９、１１を使用することで、相互作用手段３の表面全体、つまり第１及び／又は第２相互作用領域で起こる励起は、励起からもたらされる音波に基づき捕捉され、励起の位置はそのとき処理手段１３により特定される。第１相互作用領域５の透明部分と第２相互作用領域７との間に接合部分が無いので信号品質の劣化はなく、さらに信号はやがて安定する。加えて、この相互作用手段の見た目は魅力的であり、滑らかな表面によりその相互作用手段３は簡単にきれいにすることができる。
【００４４】
タッチ感応パネル１は、第１実施形態によると、独立したモジュールとして理解される。例えば接着剤層を使用することで、独立したモジュールをどのようなデバイスにも簡単に取り付けることができる。そして、インターフェース１４を通して、上記デバイス触知性のスクリーンにするためのデバイスについて対応するインターフェースに、独立したモジュールを接続できる。
【００４５】
図２は、本発明によるタッチ感応パネル２１の第２実施形態の断面図を示す。図１と同じ参照番号を持つ特徴は再び詳細に記述しないが、第１実施形態の記述はこの言及により第２実施形態に包含される。第２実施形態によるタッチ感応パネル２１と第１実施形態によるタッチ感応パネル１の間の唯一の違いは、第２実施形態において、変換手段９、１１が凹所２３、２５に配置されていることである。凹所２３、２５は、相互作用手段２７の背面の第２相互作用領域７にあり、第２相互作用領域７は、凹所２３、２５は別として、第１実施形態の単一の相互作用手段３と同じ特徴を持つ。凹所のボリュームは、変換手段９、１１及び／又は処理手段１３が単一の相互作用手段２７の表面から今後はみ出さないように選ばれる。図の太線で示されるように、不透明な金属片が同様に背面に取り付けられる。
【００４６】
この実施形態は次の利点を持つ。追加要素が相互作用手段３からはみ出ず、それによってモジュールを簡単にデバイスに一体化する。図２に記載された断面図において、処理手段１３は記載されていない。もちろん、相互作用手段２７へ取り付ける場合、処理手段１３を対応する凹所に配置できる。
【００４７】
図３ａは、本発明の第３実施形態を示す。第１または第２実施形態によるタッチ感応パネル３３を備えるデバイス３１が記載されており、タッチ感応パネル３３は、ディスプレイパネル３７を有するスクリーン３５を備える電気的デバイス３９へ取り付けられる。
【００４８】
このデバイス３１は、例えば、タッチ感応パネル３３を使うことでタッチ感応になる、ラップトップコンピューター、オンボードコンピューター、携帯電話、携帯情報端末、テレビ、ハイファイデバイス、自動販売機又は現金自動預け入れ支払機、コンソール演奏デバイス又はマシンインプットデバイスにすることもできる。
【００４９】
この実施形態の特殊性は、タッチ感応パネル３３がスクリーン３５と電気的デバイス３９の面上に沿って広がることである。本発明によれば、タッチ感応パネル３３は、スクリーン３５のディスプレイパネル３７に位置あわせされた透明な第１相互作用領域５を有し、ディスプレイ３７とは別に配置された不透明な第２相互作用領域７を有する。
【００５０】
タッチ感応パネル３３によって示されるデバイス３１の正面をファニチャーの一部分又はダッシュボードパネル４３の表面４１に埋め込むことができるように、このデバイス３１をファニチャーの一部分またはダッシュボードパネルに組み込むこともできる。このデバイス３１は、第２相互作用領域７に追加の入力面を提供し、ファニチャーまたはダッシュボードパネル４３の一部分の表面とうまく一体化させることもできる。最終的には、湾曲表面でも同様に一体化させることもできる。
【００５１】
図３ｂは、本発明によるデバイス５１の第４実施形態を示す。デバイス５１は、本発明の第１又は第２実施形態によるタッチ感応パネル５３を備え、第３実施形態と同じ特性を持つディスプレイパネル３７を有するスクリーン３５を備える電気的デバイス３９を備える。
【００５２】
第３実施形態と比較して、この実施形態では、スクリーン３５上の少なくとも１つの方向の領域にのみ広がるように、タッチ感応パネル５３の大きさは選ばれる。第１相互作用領域５はディスプレイパネル３７と、特に２つの方向で、再び位置あわせされる。第２相互作用領域７はスクリーン３５のフレーム５５と位置あわせされる。この構成において、スクリーン３５の使用されていないフレーム領域は、例えば補助ボタン領域を使うことによって、活発に入力するための実用的な領域に変えられる（図１参照）。
【００５３】
図４ａは、本発明の実施例を示す。本発明の第４実施形態によるタッチ感応パネル５３を備えるラップトップコンピューター６１を示す。図４ａに示すように、タッチ感応パネル５３はスクリーン３５に埋め込まれ、タッチ感応パネル５３の第１相互作用領域５はスクリーン３５のディスプレイパネル３７の上に配置される。そして、補助ボタン領域１５ａ−１５ｄを有する相互作用領域７はスクリーン３５のフレーム５５の上に配置される。補助ボタン１５ａ−１５ｄは追加入力手段で構成される。例えば、ユーザが励起するときに、コンピューターが作動する（ハードキー機能）ようにボタン１５ａを設定することができるし、インターネット接続やドキュメントの印刷等のようなソフトキーアクションにボタン１５b−１５ｄをリンクすることができる。
【００５４】
さらなる変形例によると、補助ボタン１５ａ−１５ｄを、スクリーンのセットアップ、例えば、光度、コントラスト、セットアップメニューを開く、オーディオのボリュームの設定のようなハードウェア機能専用にできる。補助ボタン１５ａ−１５ｄは通常は異なったピクトグラムによって表され、単純に触れることにより、あるいは後述されているようにドラッグすることにより、記載された機能へアクセスできる。
【００５５】
さらなる変形例によると、第２相互作用領域は、トラックパッド領域構造の補助ボタンを備え、処理手段１３は、励起を受けてトラックパッド領域の座標を示す信号を出力するよう構成される。その結果、スクリーン３５のディスプレイパネル３７上のカーソルを移動することに、この情報を使用することができる。
【００５６】
さらに別の変形例において、図４ａに記載されたキーボードを、同様に、第２相互作用領域７に組み込むことができる。このバーチャルキーボードは、素材処理によって、あるいは相互作用手段３の素材に直接プリントすることによって提供される。与えられたキーで検出された衝撃がちょうど昔ながらの機械的キーボードと一致する信号出力をもたらすように、処理ユニット１３は設定される。
【００５７】
スクリーン３５の上に設置された第１相互作用領域５の外側の領域をさらに使用する利益は次の通りである。相互作用手段３は掃除することが簡単であり、特に物理的ボタンよりも簡単に掃除できる。加えて、魅力ある、連続的な、すっきりした、シンプルなデザインを実現できる。最終的には、タッチ感応機能によって追加のハードウェアコスト無しに補助ボタンを実現することができる。
【００５８】
本発明のタッチ感応パネル３、２１、３３、５３は、さらに、アプリケーションに関する非常に多くのソフトウェアを使用できる。図４ｂに示される本発明の一実施形態によると、例えばテーブル１０３に設置されているフラットデバイス１０１はタッチ感応パネル１０５を備え、このタッチ感応パネル１０５は、上述した、例えば本発明の第４実施形態のパネル５３やスクリーン１０７のようなパネルの特性を有する。
【００５９】
さらに、タッチ感応パネル１０５はスクリーン１０１に埋め込まれ、タッチ感応パネル１０５の第１相互作用領域５はスクリーン１０７のディスプレイ１０９の上に配置される。そして、補助ボタン領域１５ａ−１５ｄを有する第２相互作用領域７はスクリーン１０７のフレームの上に配置される。本実施形態において、補助ボタン領域１５ａ−１５ｄは、ディスプレイ１０９に、あるいは特定のソフトウェアアプリケーションのウィンドウに、情報が表示されるように作用するよう設定される。本実施形態において、補助ボタン領域１５ａ−１５ｄは第１相互作用領域５の周辺に割り振られ、一のボタン領域がそれぞれの辺に配置される。
【００６０】
デバイス、特にデバイスの処理手段１３は、つぎのように設定される。補助ボタン領域１５ａ−１５ｄの１つで衝撃を検出するとき、オペレーティングシステム又はデバイス１０１のアプリケーションは「ディスプレイローテーション待ち」状態に置かれる。一旦ディスプレイが回転のために待ち状態になれば、第１相互作用領域５及び／又は第２相互作用領域７上の省略的な動作は、表示された情報のローテーションを導く。ローテーションが９０度、１８０度、２７０度回転に対応するように、デバイスは設定され得る。別の変形例によれば、補助ボタン領域１５ａ−１５ｄの１つで衝撃を検出するとき、ローテーションは自動的に実行される。この自動ローテーションは、最も近い補助ボタン領域を押した人が表示された情報を読むことができるようにすることが望ましい。この実施形態は、一のユーザが、画像の読み取りをテーブル１０３の別側にいる他のユーザにできるようにすることを可能とする。
【００６１】
本発明のタッチ感応パネル３、２１、３３、５３の別のソフトキーアプリケーションは、拡大／縮小機能に関する。第２相互作用領域７にある補助ボタン領域での衝撃を検出するとき、処理装置１３はスクリーンの解像度を即座に増加／減少するために指示する。
【００６２】
一旦スクリーンが「ズームされた（zoomed）」時点で、処理ユニット１３によって特定された第１相互作用領域５上のドラッグアクションは、よく見たいと望む特定の領域を見つけるために、ユーザがズームされたディスプレイの中で移動することができるようにする。表示されズームされたコンテンツ内でのアクションは、さらに機能しないようにできる。初期解像度への復帰は、対応する補助ボタンのさらなる衝撃で達成される。コンテンツを伴う相互作用はその後再び使用可能にすることができる。
【００６３】
この機能は、使用されたソフトウェアから独立して見られるドキュメント解像度を増加させることを可能にする。ズームされたドキュメントをドラッグすることによって、このドキュメントにおいてナビゲーションするためのサイドエレベーターを使う必要がない。
【００６４】
図５は、本発明による「ドラッグとドロップ」の実施形態を示す。図５は、すでに図４に記載されている本発明のデバイス６１を再び示す。この実施形態において、デバイス６１、例えばタッチ感応パネル５３の処理手段１３は、つぎのように設定される。タッチ感応パネル５３の第１相互作用領域５上の位置１で励起するとき、ラップトップコンピューター６１のスクリーン３５のディスプレイパネル３７に存在するドキュメント６３は選択される。そして、タッチ感応パネル５３の相互作用手段３の表面上のスライドアクションを通して、タッチ感応パネル５３の第２相互作用領域７上の補助ボタン領域１５ｂの方向にドキュメント６３はドラッグして移動される。ドラッグして移動された位置でのユーザの指のリフトオフアクションは、信号の特殊性のため処理手段１３（示さず）により特定され、例えば、ドキュメントのプリントアウトにつながるドロップオフアクションとして解釈される。結果、そうすることにより、スクリーンと追加バーチャル入力の表面を組み合わせることが可能となり、スクリーン自身の入出力領域が広がる。
【００６５】
本発明のドラッグとドロップの方法は相互作用手段の一部分の存在に限定されるものでなく、多数の部分から組み上げた相互作用手段へも同様に適用することができる。最終的には、この場合、様々な部分をまた間隔を離してあけてもよい。
【００６６】
図６は、追加アプリケーションを示す。この追加アプリケーションにおいて、感応パネル５３を有するラップトップコンピューター６１は、ディスプレイが４つの領域Ｉ−IVに分かれるように設定される。そして、補助ボタン１５ａ−１５ｄは、ディスプレイの外側に配置される補助ボタンの位置の１つで入力するとき、タッチスクリーンの対応する領域が、ディスプレイパネルの表面３７全体を覆うため大きくなるように設定される。
【００６７】
図４から６に記載されたアプリケーションは、ラップトップコンピューターでの使用に限定されず、上述のような様々なデバイスで実現することができる。
【００６８】
上述の発明は、アプリケーションとして述べてきた。このアプリケーションにおいて、第１及び／又は第２相互作用領域の励起の位置を特定するために音波は解析される。それにもかかわらず、本発明はこの特殊なタッチスクリーン技術に限定されない。しかし、別種の変換手段、例えばITO薄幕、音響反射体、フォトレセプター等を使用するために、抵抗膜式タッチパネル又は静電容量方式タッチスクリーン技術のような他の技術にも同様に本発明を適用することもできる。
【００６９】
図７は、本発明の第５実施形態を示しており、タッチ感応パネル１１１は第１実施形態のタッチ感応パネル１のすべての特徴を備える。したがって、図１と同じ参照番号を持つ要素は再び詳細に記載しないが、第１実施形態の記述はこの言及により第５実施形態に包含される。
【００７０】
第５実施形態によれば、タッチ感応パネル１１１は少なくとも１つの（この実施形態の実現には２つの）外部デバイスへ接続できるインターフェース１１３、１１５を備える。図７において、外部デバイス１１７はケーブル１１９を通してインターフェース１１３に接続されている。インターフェース１１３、１１５は第２相互作用領域７の中に設置される。この実施形態において、インターフェース１１３、１１５、例えばUSBインターフェースやフォノコネクター等は単一の相互作用手段３の主要面１２１に配置される。インターフェース１１３、１１５は簡単にアクセスできるので、この構成がデバイスの接続を容易にする。デバイスは、特に日常的に接続され取り外される、例えば、外部記憶装置、携帯電話、マルチメディアプレーヤー、カメラあるいはボイスレコーダー等である。他の適用としては、電磁部品を備えるスマートファニチャー、バックライティング、ロックに接続することもでき、又は制御装置からの音楽起動、室内照明、監視、シャッター制御、温度調整のようなホームオートメーションに関連することもできる。別の変形例によると、相互作用手段３の側面の１つ１２３にもインターフェースを設置することができる。
【００７１】
第２相互作用領域７はボタン領域１２５、１２７を備え、これらボタン領域はインターフェース１１３、１１５にそれぞれ割り当てられる。この実施形態において、ボタン領域１２５、１２７はインターフェース１１３、１１５を取り囲んでいる。インターフェース１１３、１１５の近く又は接触と同等に配置されることによって、対応するインターフェースの特性の明示が実現される。
【００７２】
本実施形態において、処理ユニット（示さず、図１の１３参照）は、つぎのようにさらに構成される。例えば、ユーザが第２相互作用領域７の領域を叩くことによってボタン領域１２５又は１２７が励起するとき、外部デバイス１１７とデバイス１２９間の相互作用タスクが実行される。デバイス１２９は、第１相互作用領域５の下に位置するスクリーンのディスプレイ１０９を有し、インターフェース（示さず、図１の１４参照）に接続される。
【００７３】
本実施形態を次のように使うことができる。外部デバイス１１７がインターフェース１１３に接続されている場合、この特定の外部デバイスへアクセスできる直接のショートカットは、ボタン領域１２５に割り当てられる。この接続状態において、相互作用手段３の下に位置する光源（示さず）、例えばカラーLEDは、処理ユニットにより切り替えられる。最終的には、開設された接続についてユーザへ知らせるために、メッセージを第１相互作用領域５に表示することができ、このボタン領域１１３は、データ移動のために直ちに使用できる。そのとき、ユーザは、第１相互作用領域５を通して見られるディスプレイ１０９に表示されるファイル又はフォルダ１３１を、例えば上述のドラッグとドロップの方法を使用して、ボタン領域１１３へ移動することができ、コンテンツを外部デバイスへ移動することができる。
【００７４】
本実施形態は、接続された外部デバイス１１７の使用に関して強化したエルゴノミクスを提供する。特に、タッチ感応パネル１１１への外部デバイス１１７の物理的接続についてデータ移動のためのアクセスを実現することにより提供する。
【００７５】
第５実施形態の変形例によると、ワイヤレス接続を提供するインターフェースをケーブルベースのインターフェースの代わりに提供することができる。この場合、ワイヤレス接続の典型であるバーチャルインターフェースは第２相互作用領域７で提供される。
【００７６】
タッチ感応パネル１４１は、図８に記載された本発明の第６実施形態によると、第５実施形態のタッチ感応パネル１１１に基づく。したがって、第５実施形態の記載ですでに使用された参照番号に伴う特徴を再度説明はしないが、第５実施形態の記述はこの言及により第６実施形態に包含される。
【００７７】
本実施形態において、単一の相互作用手段３は、第１相互作用領域５のように透明である第３相互作用領域１４３を備える。第３相互作用領域１４３は第２相互作用領域７の中に配置される。デバイス１２９の一部である補助ディスプレイデバイス１４４は、第３相互作用領域１４３の下に配置され、デバイス１２９の第１ディスプレイ１０９のそばに配置される。それでも、２つのディスプレイ１０９、１４４は、同じ触知面、すなわち単一の相互作用手段３に設置される。
【００７８】
外部デバイス１１７が、補助ディスプレイデバイス１４４に近いインターフェース１１３、１１５に接続された場合、デバイス１２９は次のように設定される。周辺外部デバイス１１７のコンテンツは、透明な第３相互作用領域１４３を通して見ることができる補助ディスプレイデバイス１４４に自動的に表示される。
【００７９】
この場合、補助ディスプレイデバイス１４４は、全体として外部デバイス１１７のために設けられる。相互作用手段３によりもたらされる共通の触知面は、２つのディスプレイ間の、つまり２つのデバイス１２９、１１７間の「触知継続性」を提供することができる。第１と第３相互作用領域間で指をスライドすることにより、スライドする動きは変換手段９、１１を通じて処理ユニット（図１参照）により検出される。一のスクリーンから他のスクリーンへ、ファイル、フォルダ、ショートカット等のような対象の仮想移動又は仮想コピーの可能性を、ユーザは有する。
【００８０】
この第６実施形態の特性は、接続された周辺機器との双方向性を広げる。上述の実施形態に加えて、補助ディスプレイに表示された外部デバイスのコンテンツへのアクセスを提供することによる。さらに、必要ならば、追加ディスプレイデバイスと透明な相互作用領域を提供できる。
【００８１】
変形例によれば、補助ディスプレイデバイス１４４は、デバイス１２９の特有のアプリケーションのために設けられる。例えば、オーディオタスク及び／又はビデオタスクに対して補助ディスプレイデバイス１４４を用意することができる。オーディオ及び／又はビデオデータも取り扱うコンテンツ及び／又は外部デバイス（例えば１１７）の機能は、そのとき、デバイス１２９の内部オーディオ／ビデオリソースと共に補助ディスプレイ１４４に表示される。パネル１４１のタッチ感応機能を使用することで、ユーザはすべてのオーディオ／ビデオデータのコンテンツを検索する可能性を有する。そして上述の実施形態におけるように、ユーザはファイルやフォルダのような対象をドラッグ及びドロップすることもでき、相互作用手段３上のメインスクリーンから補助ディスプレイデバイスに、そしてその逆もまた同様に、補助ディスプレイデバイスから相互作用手段３上のメインスクリーンに、ドラッグ及びドロップすることができる。処理ユニット３によって検出されたこの動作は、その後デバイス１２９からオーディオデバイス１１７へ、またはその逆のオーディオデバイス１１７からデバイス１２９へ、実際の対象を複製することの引き金となり、または選択対象の読み込みを始める。
【００８２】
この変形例は、パーソナルコンピューターのようなデバイスの専用タスクの取り扱いを容易にする。
【００８３】
上述したすべての実施形態は共通点を持つ。単一の相互作用手段３は、１つ又はそれ以上の、上述のディスプレイデバイスを設置していることである。その触知面はディスプレイ（第１及び第３相互作用領域）上の表面に限らず、ディスプレイから離れた第２相互作用領域７又は補助ボタン領域１５ａ−１５ｅ、１７、１９ａ−１９ｅ、１１３、１１５上の衝撃もまた、処理ユニット１３により検出され、動作を始動することができる。世界中の、固有の、単独のユーザインターフェースが触知領域の創作及び管理を可能とし、触知領域はフォルダ、ファイル、アプリケーション、ＵＲＩ、あるいは、ゴミ箱へ送る、コピー、ペースト、デスクトップ、アプリケーション間の切り替えのような固有の動作に割り当てられる。
【００８４】
メインディスプレイの外側の機能は、その結果、タッチスクリーン領域の外に位置するボタンを使うことにより、頻繁に使う機能へ迅速なアクセスを提供する。
【００８５】
機能についてユーザに知らせるために、機能の名称やピクトグラムを表示するためのメインディスプレイデバイス又は補助ディスプレイを使うことができる。対応する補助ボタン領域の位置の近くが望ましい。
【００８６】
新しいショートカットを作成するために、対象を第２相互作用領域７の専用領域の１つにドラッグする。そのとき、第２相互作用領域の選択領域の近くにアイコンを作成することによって、そして、このオリジナル対象（ＵＲＩ)へ直接リンクを作成することによって、メインスクリーン又は補助スクリーンは反応する。また、ショートカットを作成するために、そしてショートカットの対象をタイプ（type）するために、ある補助ボタン領域に割り当てられた補助スクリーンの専用領域をユーザはまた触ることができる。結果として、ショートカットは特定の対象に作成され、第２相互作用領域７の選択された位置に割り当てられる。
【００８７】
本発明の特徴は、ユーザがディスプレイから離れて配置された相互作用手段の一部分に自身のショートカットを作成することを可能とする。
【００８８】
変形例によると、書き込み可能領域１６１ａ−１６１ｄは、図９に記載されているように、補助ボタン領域１５ａ−１５ｄの近くの第２相互作用領域７に提供される。補助ボタン領域１５ａ−１５ｄの目的を説明するために、書き込み可能領域を使用することができる。触知性のオブジェ（紙、カートン、プラスチックフィルム）で固定された取り外し可能なタグ、触知性の表面が加えられたプラスチックシートのようなビニール、あるいは書き込みを見ることができるガラスの表面処理（サンドブラスト、シルクスクリーン）のような、さまざまな解決策を考えることもできる。この特徴は、実施形態１から６による任意のタッチ感応パネルの１つと組み合わせることができる。
【００８９】
本発明の付加的な特徴は、ユーザインターフェースの簡単かつ安価なカスタマイズを可能とする。
【図１】
2011510413.tif 000003
【図２】
2011510413.tif 000004
【図３ａ】
2011510413.tif 000005
【図３ｂ】
2011510413.tif 000006
【図４ａ】
2011510413.tif 000007
【図４ｂ】
2011510413.tif 000008
【図５】
2011510413.tif 000009
【図６】
2011510413.tif 000010
【図７】
2011510413.tif 000011
【図８】
2011510413.tif 000012
【図９】
2011510413.tif 000013
【国際調査報告】
2011510413.tif 000014
2011510413.tif 000015
2011510413.tif 000016